(57)【要約】【課題】車両のアクスル固定治具に関し、車両の製造コストを削減し、製品品質を向上させる。【解決手段】車両のドライブシャフト５が連結された左右輪をフレーム６で接続してなるアクスル２の固定治具において、車両の前後方向に延在するダミー部材１０をフレーム６に固定する。また、ドライブシャフト５をフレーム６に対して支持する支持部材２０を、ダミー部材１０に係止させる。【選択図】図１
2015020463.tif 000002
【特許請求の範囲】
【請求項１】
車両のドライブシャフトが連結された左右輪をフレームで接続してなるアクスルの固定治具において、
前記フレームに固定され、前記車両の前後方向に延在するダミー部材と、
前記ダミー部材に係止され、前記ドライブシャフトを前記フレームに対して支持する支持部材と、
を備えたことを特徴とする、車両のアクスル固定治具。
【請求項２】
前記支持部材が、前記フレーム及び前記ドライブシャフトとの間に隙間を形成する屈曲形状に形成された屈曲部を有する
ことを特徴とする、請求項１記載の車両のアクスル固定治具。
【請求項３】
前記フレームは、サスペンション用のスプリングを取り付けるためのスタッドボルトを上面に有し、
前記ダミー部材が、前記スタッドボルトに対して締結固定される締結部を有する
ことを特徴とする、請求項１又は２記載の車両のアクスル固定治具。
【請求項４】
前記支持部材が、前記スタッドボルトに遊挿される筒状部を有する
ことを特徴とする、請求項３記載の車両のアクスル固定治具。
【請求項５】
前記ダミー部材が、車両前後方向に延設された平面状のプレート部を有し、
前記支持部材が、前記プレート部を車両前後方向に摺動自在に挟持する挟持部を有する
ことを特徴とする、請求項１〜４の何れか１項に記載の車両のアクスル固定治具。
【請求項６】
前記ダミー部材が、前記ドライブシャフトの延在方向に前記プレート部を貫通する係止孔を有し、
前記支持部材が、前記係止孔に嵌合する軸部を有する
ことを特徴とする、請求項５記載の車両のアクスル固定治具。
【発明の詳細な説明】
【技術分野】
【０００１】
本発明は、車両の製造過程でアクスルを固定，搬送する際に用いられる固定治具に関する。
【背景技術】
【０００２】
従来、車両の製造工程において、仕様や車種の異なる車両部品をひとつのライン上で組み立てる混流生産方式が知られている。すなわち、多種多様な車両を製造する際に、作業工程が類似する複数の車両部品を集約し、組み立てラインを共有化することで生産性を向上させる方式である。混流生産方式は、車両の基幹部分（プラットフォーム）の構造が共通する車両の製造に用いて好適である。
【０００３】
近年では、エンジン付きの車両や電気自動車，ハイブリッド自動車など、構造が大きく異なる車両の製造工程についても、混流生産を行うことが検討，採用されつつある。例えば、車体搬送台車で搬送される車体の形式を、その組み立てに先立ってコンピューターで判別し、車体形式に応じて組み付け高さを制御するとともに、組み付け部品を提供する製造システムが提案されている。このようなシステムを用いることで、車体形式の異なる車両を効率的に生産することが可能となる（例えば、特許文献１参照）。
【先行技術文献】
【特許文献】
【０００４】
【特許文献１】特開2013-001122号公報
【発明の概要】
【発明が解決しようとする課題】
【０００５】
しかしながら、構造が異なる車両部品をひとつのライン上で組み立てるためには、そのライン上に供給される全ての車両部品に対応しうる製造設備を用意しなければならない。また、車体や車両部品の構造が変更されるたびに、その変更に応じた設備対応が求められる。
【０００６】
特に、車両部品のうち、左右輪をフレームで接続してなるアクスル（リヤアクスルやフロントアクスルのアセンブリ）は、車両のサスペンション形式によって構造が大きく変更されうる。そのため、搬送用のパレットや仮置き用受け具，コンベア用受け具など、混流生産ライン上の多くの設備に対して、アクスルの構造に適した設備対応を講じなければならない。
【０００７】
また、車両のアクスルは、車軸を中心として回転しやすい部品であることから、他の車両部品よりも、安定した姿勢で固定，搬送するための設備投資が高額になりやすい。一方、コストを削減すべく、このような設備投資を切り詰めてしまった場合には、ライン上でのアクスルの搬送安定性や部品姿勢の保持精度が悪化し、車両の製品品質が低下するおそれが生じる。
【０００８】
本件の目的の一つは、上記のような課題に鑑み創案されたもので、車両の製造コストを削減するとともに、製品品質を向上させることができるようにした、アクスル固定治具を提供することである。なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００９】
（１）ここで開示する車両のアクスル固定治具は、車両のドライブシャフトが連結された左右輪をフレームで接続してなるアクスルの固定治具であり、ダミー部材と支持部材とを備える。
前記ダミー部材は、前記フレームに固定され、前記車両の前後方向に延在する部材である。また、前記支持部材は、前記ダミー部材に係止され、前記ドライブシャフトを前記フレームに対して支持する部材である。
【００１０】
前記ダミー部材は、例えば、前記アクスルが固定，搬送される際に、前記アクスルの回動を抑制し、姿勢を安定させるように機能するものであることが好ましい。例えば、前記ダミー部材が、前記ドライブシャフトの回転軸を中心として半径方向外側に向かって延設されることが好ましい。また、前記支持部材は、前記ドライブシャフトを前記フレームに対して係止させるように機能するものであることが好ましい。
【００１１】
なお、前記固定治具とは、前記車両を製造する際に前記アクスルに対して取り付けられる仮設の部材であり、前記車両の製造過程で取り外される部材（治具）である。このような治具を用いることで、前記アクスルの位置決めが容易となり、固定，搬送時の安定性が向上する。
【００１２】
（２）前記支持部材は、前記フレーム及び前記ドライブシャフトとの間に隙間を形成する屈曲形状に形成された屈曲部を有することが好ましい。つまり、前記支持部材と前記フレームと前記ドライブシャフトとで囲まれる隙間が形成されることが好ましい。
【００１３】
（３）前記フレームは、サスペンション用のスプリングを取り付けるためのスタッドボルトを上面に有し、前記ダミー部材が、前記スタッドボルトに対して締結固定される締結部を有することが好ましい。
前記スタッドボルトに対して前記締結部を締結固定することで、前記ダミー部材が前記フレームに対して強く固定される。
【００１４】
（４）一方、前記支持部材は、前記スタッドボルトに遊挿される筒状部を有することが好ましい。
前記スタッドボルトに対して前記筒状部を遊挿することで、煩雑な作業を要することなく、前記支持部材が前記フレームに対して係止される。
【００１５】
（５）また、前記ダミー部材が、車両前後方向に延設された平面状のプレート部を有し、前記支持部材が、前記プレート部を車両前後方向に摺動自在に挟持する挟持部を有することが好ましい。
前記プレート部を前記挟持部に挟持させる（挟み込む）ことで、車幅方向についての前記支持部材の位置が特定される。また、車両前後方向についての前記支持部材の位置は、挟み込みの位置をずらすことで調節される。さらに、煩雑な作業を要することなく、前記支持部材が前記ダミー部材に対して係止される。
【００１６】
（６）また、前記ダミー部材が、前記ドライブシャフトの延在方向に前記プレート部を貫通する係止孔を有し、前記支持部材が、前記係止孔に嵌合する軸部を有することが好ましい。
前記軸部を前記係止孔に嵌合させる（差し込む）ことで、車両前後方向についての前記支持部材の位置が特定される。また、煩雑な作業を要することなく、前記支持部材が前記ダミー部材に対して係止される。
【発明の効果】
【００１７】
開示の車両のアクスル固定治具によれば、例えばロアアームやトレーリングアーム，トーションビームといったサスペンション構成部材を持たない構造のアクスルであっても、製造設備の種類を問わず、安定した姿勢で固定，搬送することができる。したがって、車両の製造に係る設備投資を削減することができ、車両の製造コストを削減することができる。また、製造過程でのアクスルの姿勢安定性を向上させることができ、車両の製品品質を向上させることができる。
【図面の簡単な説明】
【００１８】
【図１】一実施形態に係るアクスル固定治具及びその取付対象を例示する分解斜視図である。
【図２】ダミー部材の斜視図である。
【図３】（ａ）はダミー部材の全体を示す斜視図、（ｂ）はその基端部を示す斜視図である。
【図４】（ａ）は支持部材を見下ろした斜視図、（ｂ）は支持部材を見上げた斜視図、（ｃ）は（ｂ）の支持部材を裏返して示す斜視図である。
【図５】（ａ）はダミー部材のリヤアクスルへの固定状態を示す斜視図、（ｂ）はパーキングケーブル及び車速センサーケーブルをまとめた状態を示す斜視図、（ｃ）は支持部材の固定状態を示す斜視図である。
【発明を実施するための形態】
【００１９】
図面を参照して、実施形態としての車両のアクスル固定治具について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００２０】
［１．リヤアクスル］
本実施形態のアクスル固定治具１及びその取付対象である車両のリヤアクスル２（アクスル）の分解斜視図を、図１に例示する。この車両のリヤサスペンションは、ドディオン式の車軸懸架サスペンションである。リヤアクスル２は、車両の左右後輪を車幅方向に連結するように配置される。リヤアクスル２の左右両端部には、図示しない車輪を回転自在に支持するハブユニット３と、各車輪に制動力を付与するためのブレーキユニット４と、車輪に駆動力を伝達するドライブシャフト５とが設けられる。
【００２１】
ドライブシャフト５は、差動装置（ディファレンシャル）から伝達される駆動力を車軸へと伝達するシャフト５ａと、シャフト５ａの両端部に位置するインナージョイント５ｂ及びアウタージョイント５ｃとを有する。インナージョイント５ｂは、車幅方向に延在するシャフト５ａの車両内側端部に設けられ、アウタージョイント５ｃは、シャフト５ａの車両外側端部に設けられる。これらのインナージョイント５ｂ，アウタージョイント５ｃにはユニバーサルジョイントが内蔵され、駆動力を伝達する軸の傾斜が許容される。
【００２２】
左右のハブユニット３及びブレーキユニット４は、中空管状のドディオンチューブ６ａで剛に結合される。また、ドディオンチューブ６ａと左右のブレーキユニット４との結合箇所の周囲には、それぞれアクスルカバー６ｂがその結合箇所を覆うように設けられるとともに、各々の上面に平板状の板部材６ｃが設けられる。板部材６ｃは、リヤサスペンションのスプリングが当接する部位（スプリングの台座）である。例えば、車両走行時に路面から車軸に入力される振動は、板部材６ｃを介してスプリングへと伝達され、減衰，緩衝された後に車体側へと入力される。なお、本実施形態のリヤサスペンションのスプリングは、複数の板状ばねを重ねて形成された弓形のリーフスプリングであり、下面側に向かって凸形状に形成されたものとする。
【００２３】
板部材６ｃの上面には、リーフスプリングを固定するためのスタッドボルト６ｄが設けられる。スタッドボルト６ｄの突設方向は車両上下方向（ほぼ鉛直方向）であり、板部材６ｃに対して垂直な方向とされる。リーフスプリングは、所定の締結具をスタッドボルト６ｄに螺合させることによって、板部材６ｃの上面に着座した状態で固定される。図１には、四本のスタッドボルト６ｄが設けられたものを示す。なお、板部材６ｃ及びアクスルカバー６ｂを貫通するようにスタッドボルト６ｄを設け、車軸とリーフスプリングとが剛に結合されるように、これらを互いに締結固定する構造としてもよい。
【００２４】
以下、ドディオンチューブ６ａ，アクスルカバー６ｂ，板部材６ｃ及びスタッドボルト６ｄを総称して、フレーム６と呼ぶ。図１に示すように、リヤアクスル２は、ドライブシャフト５が連結された左右輪をフレーム６で接続してなり、車両前後方向に延在する構造部材を持たないアクスルである。すなわち、トーションビーム式のサスペンションのようなトレーリングアームを持たず、また、リンク式のサスペンションのようなロアリンク，ロアアームを持たない構造となっている。
【００２５】
また、図１に示すように、ハブユニット３にはパーキングケーブル７が接続され、ブレーキユニット４には車速センサーケーブル８が接続される。パーキングケーブル７は、パーキングブレーキレバーに接続されたワイヤー、あるいは、パーキングブレーキレバーの操作状態に応じた制御信号を伝達する信号線である。また、車速センサーケーブル８は、ブレーキユニット４に内蔵された車速センサーでの検出信号を車両側（例えば、ブレーキECUやエンジンECU等の電子制御装置）に伝達する信号線である。これらのケーブル７，８は、左右それぞれのブレーキユニット４における車両内側側面に対して接続される。
【００２６】
［２．アクスル固定治具］
アクスル固定治具１は、車両の製造工程におけるリヤアクスル２の位置決めや、固定，搬送時の安定性向上のために取り付けられる仮設の部材である。このアクスル固定治具１は、例えばリヤアクスル２のアセンブリが製造される工程の後に組み付けられ、リヤアクスル２にサスペンションスプリングが取り付けられる工程の前に取り外される。
【００２７】
図１に示すように、アクスル固定治具１は、一対の板部材６ｃのそれぞれに対して一つずつ取り付けられる。車両右側の板部材６ｃに取り付けられるアクスル固定治具１は、車両左側の板部材６ｃに取り付けられるアクスル固定治具１と左右対称形状（鏡面対称形状）である。以下、一方のアクスル固定治具１について説明する。図２に示すように、アクスル固定治具１には、ダミー部材１０と支持部材２０とが設けられる。
【００２８】
［２−１．ダミー部材］
ダミー部材１０は、リヤアクスル２のフレーム６に固定される部材である。図３（ａ）に示すように、ダミー部材１０はその基端部が板部材６ｃに対して固定される。ダミー部材１０の大まかな形状は、フレーム６に固定されたときに車両前後方向に延在する形状とされる。より具体的には、ダミー部材１０の基端部が板部材６ｃに対して固定されたときに、ダミー部材１０がドライブシャフト５やアクスルカバー６ｂと干渉せず、かつ、ダミー部材１０の先端部が板部材６ｃよりも下方に位置するような形状とされる。本実施形態のダミー部材１０は、図２，図３（ａ）に示すように、車両前方の下方に向かってクランク状に屈曲した形状とされる。
【００２９】
図３（ａ）は、基端部が板部材６ｃに対して固定されたダミー部材１０を車両側方外側に向かって眺めたときの図であり、図３（ｂ）は固定されたダミー部材１０の基端部を拡大して示す図である。
【００３０】
ダミー部材１０には、基端部側から順に、第一腕部１０ａ，第二腕部１０ｂ，第三腕部１０ｃが設けられる。第一腕部１０ａは、板部材６ｃの上面の面勾配に沿って車両前後方向に延在する部位である。第一腕部１０ａの断面形状は、例えばＴ字状に形成される。一方、第三腕部１０ｃは、ドライブシャフト５よりも車両前方側かつ板部材６ｃよりも下方側において、車両前後方向に沿ってほぼ水平に延在する部位である。第三腕部１０ｃは、例えば中空の角柱状に形成される。
【００３１】
第三腕部１０ｃの前端部には、中空円筒形状の筒部１０ｄが円筒軸を車幅方向に向けた姿勢で溶接固定される。第三腕部１０ｃは、後述するパレット９のロアアーム支持部９ｂに支持される。これにより、リヤアクスル２の固定，搬送状態が安定化する。なお、筒部１０ｄは、第三腕部１０ｃの前端部の剛性を向上させる機能を持つとともに、ダミー部材１０の破損，変形の有無を確認するために設けられる。ダミー部材１０の破損，変形の有無は、例えば左右のダミー部材１０の筒部１０ｄを側面方向から目視することで（左右の筒部１０ｄの位置が揃っていることを確認することで）簡便に判断することができる。
【００３２】
また、第二腕部１０ｂは、第一腕部１０ａの前端部と第三腕部１０ｃの後端部とを上下方向に接続する部位である。第二腕部１０ｂの断面形状は、第一腕部１０ａと同様にＴ字状に形成される。ダミー部材１０の屈曲形状は、例えばトーションビーム式サスペンションのトレーリングアームや、リンク式サスペンションのロアリンク，ロアアームのように、車両前後方向に延在する構造部材を模した形状とされる。これにより、後述するパレット９上にリヤアクスル２が載置される場合であっても、あるいは他のサスペンション形式に対応するアクスルが載置される場合であっても、安定した固定，搬送状態が確保される。
【００３３】
ダミー部材１０の基端部の構造を詳述する。図３（ｂ）に示すように、第一腕部１０ａには、底面部１１，一対の円筒部１２，プレート部１３，係止孔１４が設けられる。底面部１１は、板部材６ｃの上面と面接触した状態で固定される平面状の部位であり、円筒部１２は、スタッドボルト６ｄを挿入しうる内径を持った中空円筒状の部位である。円筒部１２の内径は、スタッドボルト６ｄの外径よりも僅かに大きい寸法に設定される。また、二つの円筒部１２の距離は、車両前後方向に隣接する二本のスタッドボルト６ｄの距離に応じた寸法に設定される。ダミー部材１０は、例えばスタッドボルト６ｄに螺合するナット１５等の締結具により、フレーム６に対して締結固定される。
【００３４】
プレート部１３は、少なくとも二つの円筒部１２の間を垂直に接続するように配置された平面状の部位である。このプレート部１３は、図３（ｂ）に示すように、底面部１１に対して垂直で、かつ、二つの円筒部１２の筒軸に対して平行となるように配置される。本実施形態のプレート部１３は、二つの円筒部１２の間だけでなく、ダミー部材１０の延在方向に沿って車両前後方向に延設されたものを例示する。このような構成により、ダミー部材１０の曲げ剛性が向上し、後述するパレット９上におけるリヤアクスル２の固定性，搬送安定性が向上する。プレート部１３における二つの円筒部１２のほぼ中央には、円形の係止孔１４が穿孔される。この係止孔１４は、後述する支持部材２０の軸部２９と係合または嵌合する部位となる。
【００３５】
［２−２．支持部材］
支持部材２０は、ドライブシャフト５をフレーム６に対して支持する部材である。この支持部材２０は、少なくともダミー部材１０に係止される。本実施形態の支持部材２０は、ダミー部材１０とフレーム６との両方に対して係止される構造を有する。
【００３６】
この支持部材２０には、スタッドボルト６ｄに遊挿される一対の筒状部２１と、これらの筒状部２１の間を接続する平板状の板状部２２とが設けられる。筒状部２１は、図４（ａ）に示すように、プレート部１３の円筒部１２よりも大きい内径を持つ中空円筒状の部位である。筒状部２１の内径は、スタッドボルト６ｄの外径よりも十分に大きい寸法に設定される。また、二つの筒状部２１の距離は、車両前後方向に隣接する二本のスタッドボルト６ｄの距離に応じた寸法に設定される。
【００３７】
板状部２２は、例えば短冊状の平板をＬ字状に屈曲形成したものである。この屈曲した部位のことを屈曲部２３と呼ぶ。屈曲部２３は、フレーム６及びドライブシャフト５と支持部材２０との間に隙間が形成される形状，角度で設けられる。この隙間は、パーキングケーブル７や車速センサーケーブル８を巻き付けて固定するのに利用される。
板状部２２は、屈曲部２３を境界として、水平部２２ａと傾斜部２２ｂとに分類される。水平部２２ａは、二つの筒状部２１の間を水平に接続するように配置された平面状の部位である。一方、傾斜部２２ｂは、水平部２２ａに対して傾斜した平面状の部位であり、水平部２２ａよりも車両内側に位置する。
【００３８】
傾斜部２２ｂの端部には、ドライブシャフト５を支持するべく鉤状に形成された支持部２４及び把持部２５が設けられる。支持部２４は、図４（ａ）に示すように、傾斜部２２ｂの側端辺から板面内側に向かって切り欠かれた形状とされる。一方、把持部２５は、例えば樹脂やゴムで形成されたＣ字状の部材である。把持部２５は、ドライブシャフト５をその下方から支えうる形状に形成されて、支持部２４に対して固定される。
【００３９】
板状部２２の下方には、挟持部２６及びレバー部２８が設けられる。挟持部２６は、ダミー部材１０のプレート部１３を車幅方向に挟み込む形状に形成された部位である。図４（ｂ），（ｃ）に示すように、挟持部２６には、水平部２２ａに面接触する上面部２６ａと、上面部２６ａから垂直下方に延設された一対の縦壁部２６ｂ，２６ｃとが設けられる。一対の縦壁部２６ｂ，２６ｃの間の寸法は、プレート部１３が無理なく縦壁部２６ｂ，２６ｃの間に係止されるように、プレート部１３の厚みに対応する寸法とされる。挟持部２６は、プレート部１３を係止するとともに、プレート部１３を車両前後方向に摺動自在に挟持するように機能する。また、一対の縦壁部２６ｂ，２６ｃのそれぞれには、プレート部１３の係止孔１４と同様の円形の軸孔２７が穿孔される。これらの軸孔２７は、後述する支持部材２０の軸部２９と係合または嵌合する部位となる。
【００４０】
レバー部２８は、ダミー部材１０と支持部材２０とをワンタッチで係合又は解放するための部材である。レバー部２８には、図４（ｃ）に示すように、軸部２９，円盤部３０，取手部３１，支持板３２及び弾性部材３３が設けられる。支持板３２は、水平部２２ａの下面に対して垂直に固定された板状の部材である。軸部２９は、支持板３２に穿孔された支持孔３４に対して所定の隙間を持って挿通される。
【００４１】
軸部２９は、前述の係止孔１４や軸孔２７に挿通される軸状の部材である。また、円盤部３０及び取手部３１は、軸部２９に対して固定された板状の部材である。軸部２９，円盤部３０及び取手部３１は、一体に形成される。取手部３１と支持板３２との間には、軸部２９を車両内側に向かって付勢する弾性部材３３（ゴム，つるまきバネ等）が介装される。これにより、軸部２９を軸孔２７の中に挿通させると、円盤部３０と縦壁部２６ｂとが接触した状態で固定される。このとき、ダミー部材１０の係止孔１４と軸孔２７とが一致していれば、ダミー部材１０と支持部材２０とが係合する。また、弾性部材３３の付勢力に逆らって取手部３１を車両外側に向かって引き込むと、軸部２９が軸孔２７から抜け、ダミー部材１０と支持部材２０との係合が解除される。
【００４２】
［３．パレット］
リヤアクスル２を搬送する際に用いられるパレット９を図１中に例示する。図１中では、アクスル固定治具１が取り付けられていないリヤアクスル２がパレット９上に載置された状態が示されている。このパレット９は、アクスル固定治具１が取り付けられたリヤアクスル２のみに使用される専用パレットではない。すなわち、トーションビーム式サスペンション用のリヤアクスルや、リンク式サスペンション用のリヤアクスル等を搬送する際にも用いられる汎用パレットである。このパレット９には、車軸支持部９ａとロアアーム支持部９ｂとが設けられる。
【００４３】
車軸支持部９ａは、左右のハブユニット３及びブレーキユニット４を支持する部位であり、リヤアクスル２の左右両端部に対応する位置に設けられる。車軸支持部９ａの上面形状は、ハブユニット３及びブレーキユニット４の下面形状に応じた形状に形成される。また、ロアアーム支持部９ｂは、ダミー部材１０を支持する部位であり、第三腕部１０ｃに対して下方から当接する位置に設けられる。これにより、車軸を中心としたリヤアクスル２の回転が阻止され、安定した固定，搬送状態が確保される。上記のリヤアクスル２以外がパレット９に載置された場合、ロアアーム支持部９ｂは、トレーリングアームやロアリンク，ロアアームといった、車両前後方向に延在する構造部材に当接する。
【００４４】
［４．作用］
上記のアクスル固定治具１の取り付け手順を説明する。まず、リヤアクスル２のフレーム６に対して、ダミー部材１０が固定される。図５（ａ）に示すように、四本のスタッドボルト６ｄのうち、車両内側に位置する二本のスタッドボルト６ｄに対してダミー部材１０の一対の円筒部１２が被せられる。つまり、スタッドボルト６ｄが円筒部１２に差し込まれ、板部材６ｃと底面部１１とが面接触した状態とされる。また、これらのスタッドボルト６ｄの上からナット１５が締結され、ダミー部材１０がフレーム６に対して締結固定される。ダミー部材１０は、フレーム６に対して締結固定されるため、リヤアクスル２の搬送状態等に関わらず、その固定状態は十分に安定する。
【００４５】
次に、図５（ｂ）に示すように、リヤアクスル２に接続されているパーキングケーブル７及び車速センサーケーブル８が環状（ドーナツ状，コイル状）に束ねられる。このとき、環の形が崩れないように任意のひも部材（例えば、結束バンドやケーブルタイ等）を用いてこれらのケーブル７，８を結束してもよい。環状に形成されたケーブル束は、四本のスタッドボルト６ｄを囲むように仮置きされる。
【００４６】
続いて、リヤアクスル２のフレーム６に対して、支持部材２０が取り付けられる。まず、支持部材２０の先端の把持部２５にドライブシャフト５が引っ掛けられる。把持部２５とドライブシャフト５との係合位置は、環状のケーブル束よりも車両内側とされる。これにより、環状のケーブル束は、フレーム６，ドライブシャフト５及び支持部材２０の板状部２２によって囲まれる空間に挿通された状態となる。
【００４７】
また、図５（ｃ）に示すように、四本のスタッドボルト６ｄのうち、車両外側に位置する二本のスタッドボルト６ｄに対して、支持部材２０の筒状部２１が被せられる。このとき、筒状部２１の内径はスタッドボルト６ｄの外径よりも十分に大きいため、筒状部２１とスタッドボルト６ｄとの相対移動が許容される。
【００４８】
その後、支持部材２０の挟持部２６をダミー部材１０のプレート部１３に差し込んで係止させる。挟持部２６は、プレート部１３を車両前後方向に摺動自在に挟持する形状となっているため、フレーム６に固定されたプレート部１３に対して、支持部材２０の車両前後方向への移動が許容され、支持部材２０の位置調整が可能となる。そこで、支持部材２０のレバー部２８を車両外側方向に引き込みながら、プレート部１３の係止孔１４と挟持部２６の軸孔２７とを一致させる。レバー部２８から手を離すと、弾性部材３３の付勢力により、軸部２９が係止孔１４及び軸孔２７に差し込まれて固定される。これにより、ダミー部材１０と支持部材２０とが係合し、ダミー部材１０に対する支持部材２０の位置が固定される。
【００４９】
アクスル固定治具１を取り付けられたリヤアクスル２がパレット９の上に載置されると、リヤアクスル２の左右のハブユニット３及びブレーキユニット４はそれぞれ、パレット９に設けられた車軸支持部９ａに支持される。また、左右のダミー部材１０はそれぞれ、ロアアーム支持部９ｂに支持される。これにより、リヤアクスル２の姿勢はパレット９上で安定する。また、ドライブシャフト５は、支持部材２０でダミー部材１０に対して係止されているため、例えば自重によりアウタージョイント５ｃよりもシャフト５ａ側が下方に折れ曲がるようなことが回避される。
【００５０】
［５．効果］
（１）上記のアクスル固定治具１では、ダミー部材１０がリヤアクスル２のフレーム６に固定されるため、車両の製造工程におけるリヤアクスル２の位置決め時や、固定時，搬送時に、ダミー部材１０をパレット９で支持することによって、リヤアクスル２の回動を阻止することができる。したがって、ロアアームやトレーリングアーム，トーションビーム等の部材を持たないリヤアクスル２であっても、回動を阻止するための設備投資が不要となり、製造コストを削減することができる。
【００５１】
また、支持部材２０をダミー部材１０に対して係止させることで、リヤアクスル２のフレーム６を変更することなくドライブシャフト５の回動（インナージョイント５ｂ，アウタージョイント５ｃを中心とした揺動）を阻止することができる。例えば、フレーム６に対して支持部材２０を締結固定するための締結部を新たに設けずに済む。したがって、フレーム６の構造，形状に依存することなく、安定した姿勢でリヤアクスル２を固定，搬送することができ、製品品質を向上させることができる。
【００５２】
（２）上記のアクスル固定治具１では、フレーム６及びドライブシャフト５と支持部材２０との間に隙間が形成されるように、支持部材２０に屈曲部２３が設けられる。これにより、リヤアクスル２に取り付けられた支持部材２０の板状部２２によって囲まれる空間に、パーキングケーブル７を挿通させることができる。つまり、パーキングケーブル７を、フレーム６，ドライブシャフト５及び屈曲部２３で囲まれる空間に通して巻き掛けることができる。これにより、フレーム６の搬送時におけるパーキングケーブル７の取り回しを容易にすることができ、作業性を向上させることができる。
【００５３】
また、フレーム６の搬送時にパーキングケーブル７が他の車両部品に引っかかったり、踏みつぶされたりするようなことを防止することができ、製品品質を向上させることができる。なお、車速センサーケーブル８も、パーキングケーブル７とともに巻き掛けることができるため、作業性をより向上させることができるとともに、製品品質を向上させることができる。
【００５４】
（３）上記のアクスル固定治具１では、フレーム６の上面のスタッドボルト６ｄに対して、ダミー部材１０が締結固定される。これにより、ダミー部材１０とフレーム６との固定強度を確保することができる。つまり、リヤアクスル２の固定時や搬送時に、リヤアクスル２を回動させようとする大きな力が作用したとしても、その回動を阻止することができる。
【００５５】
（４）一方、支持部材２０は、スタッドボルト６ｄに対して遊挿されるため、フレーム６には固定されない。このように、支持部材２０をフレーム６に対して締結固定することなく引っ掛けて係止する構造とすることで、アクスル固定治具１をリヤアクスル２に取り付ける工程の作業性を向上させることができる。また、支持部材２０を用いて、ドライブシャフト５をフレーム６に対して係止させることで、ドライブシャフト５の揺動，回動が阻止される。これにより、例えばリヤアクスル２の固定時や搬送時に、インナージョイント５ｂやアウタージョイント５ｃが過剰に回転，屈曲するような事態を回避することができ、リヤアクスル２の製品品質を向上させることができる。
【００５６】
（５）上記のアクスル固定治具１は、ダミー部材１０のプレート部１３を支持部材２０の挟持部２６に挟み込んで係止させる構造を有する。これにより、支持部材２０をフレーム６に対して締結固定することなく、十分に係止することができる。したがって、アクスル固定治具１をリヤアクスル２に取り付ける工程の作業性を向上させつつ、ドライブシャフト５の揺動，回動を阻止することができる。また、支持部材２０の車幅方向の位置決め精度を向上させることができ、ドライブシャフト５の支持位置の精度をより高めることができ、製品品質を向上させることができる。
【００５７】
（６）上記のアクスル固定治具１では、ダミー部材１０の係止孔１４と支持部材２０の軸孔２７とが一致するように支持部材２０の車両前後方向の位置が調整され、係止孔１４及び軸孔２７に軸部２９が差し込まれて固定される。このように、係止孔１４，軸孔２７及び軸部２９を嵌合させることで、支持部材２０の車両前後方向の位置決め精度を向上させることができる。したがって、ドライブシャフト５の支持位置の精度をより高めることができ、製品品質を向上させることができる。
【００５８】
また、軸部２９を係止孔１４及び軸孔２７から取り除く場合には、支持部材２０のレバー部２８を車両外側方向に引き込めばよい。このように、簡単な操作で嵌合状態を制御することができ、アクスル固定治具１をリヤアクスル２に取り付ける工程の作業性を向上させることができる。
【００５９】
［６．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。上述の実施形態では、車両のリヤアクスル２について詳述したが、上記のアクスル固定治具１の適用対象はリヤのアクスルだけでなく、フロントのアクスルにも適用可能である。少なくとも、車両の駆動軸（ドライブシャフト）が連結された左右輪をフレーム（例えばドディオンフレーム）で接続してなるアクスルであれば、上記のアクスル固定治具１を適用することで、上述の実施形態と同様の効果を奏するものとなる。
【００６０】
また、上述の実施形態では、図３（ａ）に示すように、クランク状に屈曲した形状のダミー部材１０を示したが、ダミー部材１０の具体的な構造はこれに限定されない。例えば、パイプ状の部材を屈曲させることによって同様の部材を形成してもよいし、あるいはアングル材やチャンネル材を組み合わせて同様の部材を形成してもよい。ダミー部材１０の構造は、リヤアクスル２の固定，搬送時に作用しうる力やモーメントの大きさに応じて適宜設定することができる。なお、支持部材２０の具体的な構造についても同様であり、上述の実施形態のものに限定されない。
【符号の説明】
【００６１】
１  アクスル固定治具
２  リヤアクスル
５  ドライブシャフト
６  フレーム
６ａ  ドディオンチューブ
６ｂ  アクスルカバー
６ｃ  板部材
６ｄ  スタッドボルト
７  パーキングケーブル
８  車速センサーケーブル
９  パレット
１０  ダミー部材
１１  底面部
１２  円筒部（締結部）
１３  プレート部
１４  係止孔
２０  支持部材
２１  筒状部
２２  板状部
２３  屈曲部
２６  挟持部
２９  軸部
【図１】
2015020463.tif 000003
【図２】
2015020463.tif 000004
【図３】
2015020463.tif 000005
【図４】
2015020463.tif 000006
【図５】
2015020463.tif 000007